(57)【要約】【課題】包装容器の荷扱い時に生じる落下衝撃や製品同士の干渉が生じても、摘み部や開封予定位置等の注出部に形成された易開封部が破断し難く、かつ、消費者が開封時には適度の力で容易に開封可能な包装容器を提供する。【解決手段】包装容器１０は、溶着された周縁部１０ｂに、前記手指によって容易に破断を開始できる破断開始部１６を、前記易開封部１４に不連続に設けており、前記周縁部１０ｂにおける前記破断開始部１６と易開封部１４との間には、その破断開始部１６と易開封部１４とを結ぶ仮想線１８上に破断開始部１６からの破断を停止させる破断干渉部２０を設けている。【選択図】図１
2009132444.tif 000002
【特許請求の範囲】
【請求項１】
少なくとも１層の樹脂フィルムを含む膜状体を重ねた状態でその中央部を残して周縁部を溶着または接着して容器を形成し、該中央部の内部空間内に内容物を充填した後に密封する包装容器であって、
充填された内容物を外部に注出するための注出部に、使用者が手指によって他の部分よりも容易に切り裂いて破断できる易開封部を線状に設け、
包装容器の溶着または接着された周縁部に、前記手指によって容易に破断を開始できる破断開始部を、前記易開封部に不連続に設け、
前記周縁部における前記破断開始部と易開封部との間には、その破断開始部と易開封部とを結ぶ仮想線上に破断開始部からの破断を停止させる破断干渉部を設けたことを特徴とする包装容器。
【請求項２】
破断干渉部は、破断開始部および易開封部に非連続であることを特徴とする請求項１に記載の包装容器。
【請求項３】
破断干渉部は、破断開始部と易開封部とを結ぶ仮想線に垂直方向に拡がる打ち抜き部を設けたものであることを特徴とする請求項１または２に記載の包装容器。
【請求項４】
破断開始部から破断が進行して破断干渉部に到達後、更に破断が進むときに破断干渉部から易開封部に向けて破断が収束するように易開封部に向かう誘導部を設けたことを特徴とする請求項１から３のうちの１項に記載の包装容器。
【発明の詳細な説明】
【技術分野】
【０００１】
本発明は包装容器に関する。
【背景技術】
【０００２】
スタンディングパウチ等の詰め替え容器（包装容器の例）は、一般的に次の樹脂フィルムを基本とした積層フィルムから形成されている。
【０００３】
詰め替え容器を形成する積層フィルムには、表面から順にＮＹ（ナイロン    ）／ＡＬ（アルミニウム）／ＰＥ（ポリエチレン），ＮＹ／ＰＥＴ（ポリエチレンテレフタレート）蒸着／ＰＥ，ＮＹ／ＰＥが挙げられる。
【０００４】
包装容器に関し、例えば特開２００３−１３７３１０号（特許文献１）に示されるように、スタンディングパウチの上部には、詰め替えのための注出部が設けられており、開封予定位置（破断部）にはレーザ加工や刃物等による機械加工、コロナ放電やプラズマ放電等による放電加工、あるいはヒートバー等による易開封加工が施されている。
【０００５】
また、破断部の先端側には開封のための摘み部が形成されている場合があり、風呂場や洗面所での詰め替えの際に手指が濡れていても摘み部が滑り難いようにエンボス加工やローレット加工が行われている。同様の技術が特開２００５−１３２４２９号公報（特許文献２）に開示されている。
【０００６】
しかしながら、上記特許文献１や特許文献２の開示技術では、易開封加工や摘み部は、生産工程、輸送あるいは店頭展示等のハンドリングの際に生じる落下衝撃や製品同士の干渉によって開封予定位置が破断して内容物の漏れが生じ、他の製品を汚したり、周囲を汚したりする場合があり、改善が望まれていた（「基本的課題」という）。
【０００７】
また、開封予定位置でノッチの角部で他の物品への傷付け防止の従来技術に、ヒートシール部の開封開始部のＩ形状のノッチ上に円形の打ち抜き部を形成したものがある（特開２００５−２４７３４８号公報：特許文献３）。このうち抜きでは、単に開封部の視認性を高めているに過ぎず、円形の打ち抜きではカット止めにならない。
【０００８】
また、パウチの一側辺のシール部に形成された開封ノッチ部と引き裂き線（開封線）の至るシール部に引き裂き線と交わる方向にカット止めスリットを設けた技術がある（特開平７−６９３７０号：特許文献４）。
【０００９】
しかしながら、このような形成された特許文献４のカット止めスリットでは、使用者が摘み部を摘んで易開封部を引き裂き開封の操作をしていくと、開封線は打ち抜き部やスリットで止まるが打ち抜き部やスリットからどの方向に開封していくか開封方向を制御することができず、意図しない方向へ開封線や引き裂き線が延びてしまう問題点が生じる。
【００１０】
逆に、特開２０００−１０９０９７号（特許文献５）では、シール部縁辺にノッチ等の易引き裂き加工が施され、シール部縁辺から内側のシール部に切り込みまたは内抜き孔によるＶ字形の欠損部を設けて、素手による引き裂き開封を容易にする技術が開示されている。しかしながら、この技術では、意図に反して引き裂き線が欠損部に至ると容易に開封が進んでしまうので、より前記基本的課題を解決することができない。
【００１１】
また、特開２００３−２７６７４４号（特許文献６）では、ノッチと開封補助線が非連続に形成され、開封補助線のノッチ側の先端付近部分がノッチに加わる力の向きと異なるように形成されている。
【００１２】
しかしながら、上述の特許文献６に記載の技術では、意図しない力でノッチから開封補助線まで切り裂き線が延びてしまった場合、結局そこから容易に開封してしまうので、上記の基本的課題を解決できないものである。
【特許文献１】特開２００３−１３７３１０号公報
【特許文献２】特開２００５−１３２４２９号公報
【特許文献３】特開２００５−２４７３４８号公報
【特許文献４】特開平７−６９３７０号公報
【特許文献５】特開２０００−１０９０９７号公報
【特許文献６】特開２００３−２７６７４４号公報
【発明の開示】
【発明が解決しようとする課題】
【００１３】
本発明は、前記従来の問題点を解消するためなされたものであって、包装容器の荷扱い時に生じる落下衝撃や製品同士の干渉が生じても、摘み部や開封予定位置等の注出部に形成された易開封部が破断し難く、かつ、消費者が開封時には適度の力で容易に開封可能な包装容器を提供しようとするものである。
【課題を解決するための手段】
【００１４】
本発明は包装容器に係るものである。
本発明は、少なくとも１層の樹脂フィルムを含む膜状体を重ねた状態でその中央部を残して周縁部を溶着または接着して容器を形成し、該中央部の内部空間内に内容物を充填した後に密封する包装容器であって、
充填された内容物を外部に注出するための注出部に、使用者が手指によって他の部分よりも容易に切り裂いて破断できる易開封部を線状に設け、
包装容器の溶着または接着された周縁部に、前記手指によって容易に破断を開始できる破断開始部を、前記易開封部に不連続に設け、
前記周縁部における前記破断開始部と易開封部との間には、その破断開始部と易開封部とを結ぶ仮想線上に破断開始部からの破断を停止させる破断干渉部を設けたことを特徴とする包装容器である。
【００１５】
本発明においては、破断干渉部が、破断開始部および易開封部に非連続であることが好適である。
【００１６】
また、本発明においては、破断干渉部が、破断開始部と易開封部とを結ぶ仮想線に垂直方向に拡がる打ち抜き部を設けたものであることが好適である。この場合の破断干渉部は、例えば、直線状、矩形状、多角形状、円形状等の打ち抜き部であればいずれも良い。
【００１７】
また、本発明においては、破断開始部から破断が進行して破断干渉部に到達後、更に破断が進むときに破断干渉部から易開封部に向けて破断が収束するように易開封部に向かう誘導部を設けたことが好適である。破断干渉部は、１以上、設けることができる。
【００１８】
また、本発明においては、破断干渉部は、破断開始部と易開封部とを結ぶ仮想線に垂直方向に延びる直線状の部分と、その直線状部部分の両端部から易開封部に向いて延びた誘導部分とで概略コ字形状に形成されていることが好適である。
【発明の効果】
【００１９】
本発明の請求項１〜４記載の包装容器によれば、周縁部における破断開始部と易開封部との間に、その破断開始部と易開封部とを結ぶ仮想線上に破断開始部からの破断を停止させる破断干渉部を設けたので、包装容器製品が落下や製品同士の干渉によって破断開始部から破断が進んでも、破断干渉部によって破断を停止させ、それ以上進ませることがないので破断し難く、それと共に、消費者は、その破断干渉部さえ破断させれば易開封部によって容易に開封可能な包装容器を提供できる。
【００２０】
なお、本発明において、破断干渉部を、破断開始部および易開封部に非連続にすれば、破断が破断開始部から破断干渉部にも進みにくく、より一層、破断が進まないようにできる。
【００２１】
また、本発明において、破断干渉部を、破断開始部と易開封部とを結ぶ仮想線に垂直方向に拡がる打ち抜き部を設けたものにすれば、破断干渉部が破断を一層効果的に停止させて切れにくくできるばかりか、打ち抜きによるので形成が容易である。
【００２２】
また、本発明において、破断開始部から破断が進行して破断干渉部に到達後、更に破断が進むときに破断干渉部から易開封部に向けて破断が収束するように易開封部に向かう誘導部を設ければ、使用者が手指によって包装容器の破断開始部周囲を摘み、引き裂く方向へ力を引っ張る力を加えた際には、破断が破断干渉部で一旦停止するが、さらに力を加えていくと誘導部分によって破断線が易開封部に確実に誘導され誤った破断が生じない。
【００２３】
なお、破断干渉部は、破断開始部と易開封部とを結ぶ仮想線に垂直方向に延びる直線状の部分とし、誘導部は、その直線状部の破断緩衝部の両端から易開封部に向けて線状に延びたものであり、破断干渉部と誘導部とで概略コ字形状に形成することが、簡易な形状で誘導部を形成でき好適である。
【発明を実施するための最良の形態】
【００２４】
以下、本発明の実施の形態を添付図面を参照して説明する。
図１〜図７は本発明の実施の形態の各例であって、図中、同一の符号を付した部分は同一物を表わす。
【００２５】
図１は、実施形態１に係る包装容器１０の説明図、図２（ａ）〜（ｃ）は実施形態１に係る包装容器１０の注出周辺を拡大して示す各実施例１〜３の説明図である。図３は、実施形態２に係る包装容器１０の説明図、図４（ａ）〜（ｃ）は実施形態２に係る包装容器１０の注出周辺を拡大して示す各実施例４〜６の説明図である。図５は、実施形態３に係る包装容器１０の説明図、図６（ａ）〜（ｃ）は実施形態３に係る包装容器１０の注出周辺を拡大して示す各実施例７〜９の説明図である。図７は実施形態１に係る包装容器１０の変形例１〜３の説明図である。
【００２６】
図１に示すように、実施形態１に係る包装容器１０は、少なくとも１層の樹脂フィルムを含む膜状体を重ねた状態でその中央部１０ａを残して周縁部１０ｂを溶着（ヒートシール、その他接着でもよい）して容器を形成し、該中央部１０ａの内部空間内に内容物を充填した後に密封する包装容器１０である。内容物には、包装容器１０においてその注出部１２の開口からより外部に取りだし可能な製品であるならば、液体洗剤、液体柔軟剤等の液体製品に限らず、粉状粒状洗剤等の粉体製品が挙げられる。
【００２７】
膜状体は、少なくとも１層の積層フィルムからなり、例えば表面から順にＮＹ（ナイロン）／ＡＬ（アルミニウム）／ＰＥ（ポリエチレン；低密度ポリエチレン、中密度ポリエチレン、高密度ポリエチレンを含む）、ＮＹ／ＰＥＴ（ポリエチレンテレフタレート）蒸着／ＰＥ、ＮＹ／ＰＥが挙げられる。この場合、最内層の樹脂層は、最内層はＰＥ
、ＥＶＯＨ（エチレンビニルアルコール）、ＰＡＮ（ポリアクリルニトリル）等の内容物に対してシール性の高い樹脂が好ましい材料であり、これらを一軸または二軸延伸したフィルムとして用いることができる。また、前記最内層に重なるつまり隣接する層は、素材に特に制限はなく、最内層にその隣接する層を接着剤を介して積層することができ、例えば、最内層と同種または異種の樹脂剤、金属もしくは金属酸化物または酸化珪素等
の蒸着層の他、紙類層、セロファン層などを適宜に形成できる。
【００２８】
包装容器１０は、上記膜状体を２つ折りし２枚以上を合わせて概略の形状として、その後周縁部１０ｂを溶着（ヒートシール）して形成できる。強度や耐漏洩性に問題がなければ接着も考えられる。
【００２９】
四方シール袋であれば、表裏２枚の膜状体を巻き出しロールから巻き出し、その２枚の膜状体の周縁部１０ｂの左右をサイドシール機器によって、底をボトムシール機器によってヒートシールする。
【００３０】
また、三方シール袋であれば、膜状体を巻きだしロールから巻きだして、折り曲げて左右をサイドシールする。
【００３１】
さらにスタンディングパウチであれば、外形を整えると共に、後述するノッチ等の破断開始部１６、後述する孔等の破断干渉部２０を打ち抜きによって周縁部１０ｂに形成する。その打ち抜き加工を施した包装容器１０には、内容物を充填した後に天部をヒートシールして密封し製品としている。
【００３２】
図１では、スタンディングパウチの例を示している。底部は折り曲げマチを付けて折り曲げた状態でサイドシールし、内容物充填後に注出部１２側をヒートシールする。
【００３３】
図１〜図６に示す第１〜第３実施形態では、周縁部１０ｂの溶着部位（ヒートシール）と内部空間との境界を破線１０ｃで示している。
【００３４】
前記包装容器１０においては、充填された内容物を外部に注出するための注出部１２が上部に形成されており、製品化された包装容器１０では、その注出部１２が溶着によって塞がれている。具体的には、前記注出部１２では、使用者が手指によって他の部分よりも容易に切り裂いて破断できる易開封部１４を線状に設けている。この易開封部１４は、線状に薄くしたり印刷を省略したりして引き裂く際に容易に引き裂いて開けられるようにしている。
【００３５】
また、包装容器１０の溶着された周縁部１０ｂの左右両側では、前記手指によって容易に破断を開始できる破断開始部１６を、前記易開封部１４に不連続に設けており、前記周縁部１０ｂにおける前記破断開始部１６と易開封部１４との間には、その破断開始部１６と易開封部１４とを結ぶ仮想線１８上に破断開始部１６からの破断を停止させる破断干渉部２０を設けている。
【００３６】
破断開始部１６は、実施形態１では、図１および図２に示すように、周縁部１０ｂ外側端部からのスリット状または直線状の切り込み（ノッチ）１６Ａとしている。
【００３７】
また、破断開始部１６は、実施形態２では、図３および図４に示すように、Ｖ字形状の切り欠き（Ｖノッチ）１６Ｂとしている。
【００３８】
また、破断開始部１６は、実施形態３では、図５および図６に示すように、注出部１２下部の摘み部１２ａ下方にＶノッチ１６Ｃが形成されている。注出部１２には、舌状かつ内部にヒートシール部分を残して突出形成され、注出部１２を開口し易いように摘み部１２ａを側方に突出形成している。摘み部は、印刷、機械加工、レーザ加工、放電加工等によって滑り止め加工がされている。
【００３９】
破断干渉部２０は、破断開始部１６および易開封部１４に非連続である。これは、連続に形成した場合、破断開始部１６から破断が、易開封部１４に容易に進んでしまう不具合を適切に防止するためである。
【００４０】
具体的には、破断干渉部２０は、図２、図４、図６に示すように、破断開始部１６と易開封部１４とを結ぶ仮想線１８に垂直方向に拡がる打ち抜き部を設けたものである。打ち抜き部は、打ち抜き刃で押圧して切断または抜くもの（その他、レーザ加工、コロナ放電プラズマ放電等の放電加工等、適宜の打ち抜き加工を選択採用できる）であり、上記仮想線１８に対して、垂直方向の延びる直線状に単数または複数設ける。
【００４１】
なお、打ち抜き部は、図２（ａ）に示すように、易開封部１４に向けて、複数の直線状の打ち抜きが短いものから順に長く配列したり、逆に（ｂ）に示すように、易開封部１４に向けて、複数の直線状の打ち抜きを長い物から順に短くしたりできる。その他、図２（ｃ）のような円形とすることができる。
【００４２】
また、図２に示すように、破断開始部１６から破断が進行して破断干渉部２０に到達後、更に破断が進むときに破断干渉部２０から易開封部１４に向けて破断が収束するように易開封部１４に向かう誘導部２２を設けることができる。
【００４３】
具体的には、誘導部２２は、図２（ａ）および（ｂ）、図４（ａ）および（ｂ）、図６（ａ）および（ｂ）にそれぞれ示すように、破断干渉部２０両端部にそれよりも短く易開封部１４の初端に向けて直線状に延びて形成されている。
【００４４】
実施形態の包装容器によれば、破断開始部１０から破断が進行して破断干渉部２０に到達後、更に破断が進むときに破断干渉部２０から易開封部１４に向けて破断が収束するように易開封部１４に向かう誘導部２２を設ければ、使用者が手指によって包装容器１０の破断開始部１６周囲を摘み、引き裂く方向へ力を引っ張る力を加えた際には、破断が破断干渉部２０で一旦停止するが、さらに力を加えていくと誘導部分２２によって破断線が易開封部１４に確実に誘導され誤った破断が生じない。
【００４５】
なお、本発明の包装容器は、上記した実施の形態に限定されるものではなく、本発明の要旨を逸脱しない範囲内において種々変更を加え得ることは勿論である。
【００４６】
図７には、本実施形態１の変形例１〜３を示す。実施形態２〜３にも同様に適用可能でありその説明は省略する。
【００４７】
図７（ａ）は、変形例１に係る包装容器１０であって、円形打ち抜きから破断干渉部２０にそれよりも小円形の打ち抜きを形成した誘導部２２である。この誘導部２２は仮想線１８上に形成してもよいがそれよりも仮想線１８からずらした方が、破断線が延びにくく強固にできかつ誘導もできる。
【００４８】
図７（ｂ）、（ｃ）は、Ｃ字形状の打ち抜きで破断干渉部２０と誘導部２２を一括で単数、複数形成したものである。つまり、Ｃ字形状の破断開始部１６側が破断干渉部２０であり、易開封部１４側が誘導部２２になる。
【００４９】
なお、誘導部２２は、図２（ｃ）に符号示すように、円形状の打ち抜きから、ひげ状に切り込みを１以上延して形成することができる。
【図面の簡単な説明】
【００５０】
【図１】本発明の実施形態１に係る包装容器の正面視説明図である。
【図２】（ａ）〜（ｃ）は実施形態１に係る包装容器の注出周辺を拡大して示す各実施例１〜３の説明図である。
【図３】本発明の実施形態２に係る包装容器の説明図である。
【図４】（ａ）〜（ｃ）は実施形態２に係る包装容器の注出周辺を拡大して示す各実施例４〜６の説明図である。
【図５】実施形態３に係る包装容器の説明図である。
【図６】（ａ）〜（ｃ）は実施形態３に係る包装容器の注出周辺を拡大して示す各実施例７〜９の説明図である。
【図７】実施形態１（実施形態２〜３）に係る包装容器の変形例１〜３の説明図である。
【符号の説明】
【００５１】
１０  包装容器
１０ａ  中央部
１０ｂ  周縁部
１０ｃ  破線
１２  注出部
１２ａ  摘み部
１４  易開封部
１６  破断開始部
１６Ａ  直線状の切り込み（ノッチ）
１６Ｂ  切り欠き（Ｖノッチ）
１６Ｃ  切り欠き（Ｖノッチ）
１８  仮想線
２０  破断干渉部
２２  誘導部
【図１】
2009132444.tif 000003
【図２】
2009132444.tif 000004
【図３】
2009132444.tif 000005
【図４】
2009132444.tif 000006
【図５】
2009132444.tif 000007
【図６】
2009132444.tif 000008
【図７】
2009132444.tif 000009